(57)【要約】【課題】  解決しようとする課題は、アンテナ設置時にアンテナの仰角が大きい場合などに、アンテナの放射面側への着雪や、アンテナの放射面側への雪垂れなどによりアンテナの利得が低下することを防ぐことである。【解決手段】  無線通信で用いられるアンテナのアンテナ着雪防止構造であって、アンテナをアンテナ取付金具により取付ポールに固定し、アンテナ上部にアンテナを上面から見て覆うように雪よけ屋根を雪よけ屋根取付金具によって取付ポールに固定することで実現し、更には、アンテナはアンテナ取付金具により仰角を可変可能とすることで実現した。【選択図】図１
2006217130.tif 000002
【特許請求の範囲】
【請求項１】
無線通信で用いられるアンテナのアンテナ着雪防止構造であって、アンテナをアンテナ取付金具により取付ポールに固定し、アンテナ上部にアンテナを上面から見て覆うように雪よけ屋根を雪よけ屋根取付金具によって取付ポールに固定することを特徴とするアンテナ着雪防止構造。
【請求項２】
請求項１記載のアンテナ着雪防止構造であって、アンテナはアンテナ取付金具により仰角を可変可能であることを特徴とするアンテナ着雪防止構造。
【請求項３】
請求項１または請求項２記載のアンテナ着雪防止構造であって、雪よけ屋根は切り妻屋根形状またはドーム型屋根形状であることを特徴とするアンテナ着雪防止構造。
【請求項４】
請求項１または請求項２記載のアンテナ着雪防止構造であって、アンテナは円形形状または四角形状またはひし形形状であることを特徴とするアンテナ着雪防止構造。
【発明の詳細な説明】
【技術分野】
【０００１】
本発明は、屋外に設置され通信周波数帯が準ミリ波帯、ミリ波帯等で使用されるアンテナにおいて、設置状態でのアンテナの放射面への着雪を防止するアンテナ着雪防止構造に関する。
【背景技術】
【０００２】
通信事業者の通信網や加入者系無線装置および自営回線用の無線装置は、周波数の有効利用と広帯域システムの特性から、周波数が比較的潤沢な準ミリ波帯、ミリ波帯等が多く使われている。これらの無線装置のアンテナは高い利得が得られるペンシルビーム特性を有するパラボラアンテナや複数のアンテナ単位素子をアレイ状に配置した平面アンテナが使われている。これらのアンテナは、長期にわたる安定性を得るため、一般には放射面を覆う樹脂製のアンテナレドームが装着されている。
【０００３】
しかし、アンテナレドームを構成する場合、アンテナレドームに着雪するとアンテナの利得が大幅に低下し通信回線が切断するという問題がある。その問題点を解決する為に、図１１のように上端より下端のアンテナレドームの長さを短くする構造が考えられている。
【０００４】
上記従来の方法を図１１、図１２、図１３に示す。従来の方法では、図１１のようにアンテナの仰角が小さい場合は問題がないが、近年、この周波数帯のシステムが普及し、アンテナの仰角が大きくなる設置例が増している状況を加味すると、仰角が大きくなると図１２や図１３に示すようにアンテナの放射面側への着雪や、アンテナの放射面側への雪垂れ等によりアンテナの利得低下が生じ、アンテナとして十分な効果を得ることができない問題があり、この対策が普及への課題となっていた。
【特許文献１】特開２００２−３３５１１２号公報
【特許文献２】特開２００４−１５３１７号公報
【発明の開示】
【発明が解決しようとする課題】
【０００５】
解決しようとする課題は、アンテナ設置時にアンテナの仰角が大きい場合などに、アンテナの放射面側への着雪や、アンテナの放射面側への雪垂れなどによりアンテナの利得が低下することを防ぐことである。
【課題を解決するための手段】
【０００６】
本発明は、上記課題を鑑みて為されたものであり、無線通信で用いられるアンテナのアンテナ着雪防止構造であって、アンテナをアンテナ取付金具により取付ポールに固定し、アンテナ上部にアンテナを上面から見て覆うように雪よけ屋根を雪よけ屋根取付金具によって取付ポールに固定することを特徴とする。
【発明の効果】
【０００７】
本発明のアンテナ着雪防止構造は、アンテナと雪よけ屋根をそれぞれアンテナ取付金具と雪よけ屋根取付金具で別々に固定設置するので、アンテナの仰角を変えても雪よけ屋根とアンテナを適切な配置関係にすることにより、アンテナの放射面側への着雪や雪垂れ等によって生じるアンテナの利得低下を低減することができる点である。
【発明を実施するための最良の形態】
【０００８】
アンテナと雪よけ屋根をそれぞれアンテナ取付金具と雪よけ屋根取付金具で別々に固定設置することで実現した。
【実施例１】
【０００９】
以下に本発明の実施の形態について図を用いて一実施例を説明する。
図１は本発明におけるアンテナ着雪防止構造の一実施例で、図２及び図３は本発明の図１におけるアンテナ仰角が上方または下方の場合の一実施例である。
本発明のアンテナ着雪防止構造は、取付ポール（１０）にアンテナ本体（１４）の放射面側にアンテナレドーム（１５）を具備したアンテナ（１３）がアンテナ取付金具（１６）によって取り付けられ、アンテナ上部にはアンテナ同様に、取付ポール（１０）に雪よけ屋根（１１）が雪よけ屋根取付金具（１２）により取り付けられている。
尚、アンテナ本体（１４）には必ずしもアンテナレドーム（１５）が具備されていなくてもよく、その場合は、アンテナ本体を本発明におけるアンテナとして考えることも無論問題ないものである。
また、アンテナ放射面の裏面に無線伝送における送受信増幅回路や利得制御回路等の付帯機能を備えている場合も、その付帯機能を含めてアンテナとして考えることも無論問題ないものである。
【００１０】
本発明ではアンテナ（１３）上方に設置された雪よけ屋根（１１）により、アンテナ（１３）の放射面側への着雪や雪垂れ等を防止しているが、本発明における最大の特徴は、アンテナ（１３）の仰角を変えても着雪及び雪垂れ等の防止効果が変わらないことである。それは、図１、図２、図３からも分かるように、アンテナ（１３）と雪よけ屋根をそれぞれアンテナ取付金具（１６）と雪よけ屋根取付金具（１２）で別々に取付ポール（１０）に固定設置するので、アンテナ（１３）の仰角を変えても雪よけ屋根（１１）とアンテナ（１３）を適切な配置関係にすることができる。つまり、図２及び図３にあるように雪よけ屋根（１１）は、アンテナ（１３）の仰角を変えてもアンテナ取付金具（１６）と異なる雪よけ屋根取付金具（１２）で取付ポール（１０）に設置するので、アンテナ（１３）の仰角に応じてアンテナ（１３）との距離を適切に保つことができ、アンテナ（１３）の放射面を塞ぐことがなく、アンテナ（１３）の仰角に連動して雪よけ屋根（１１）が傾斜することがなく、アンテナ（１３）の仰角に左右されずにアンテナの放射面側への着雪や雪垂れ等を防止することができる。さらに、アンテナ取付金具（１６）と雪よけ屋根取付金具（１２）を別々に固定設置することで、雪よけ屋根（１１）への風圧による荷重を取付ポール（１０）に持たせることが可能となっており、アンテナ取付金具（１６）に特別な強度を要求しなくてよい。つまりは、１つの取付金具にアンテナ（１３）と雪よけ屋根（１１）を取り付けていない為、風圧による負荷を分散できるという効果を同時に得ることができる。
【００１１】
次に、雪よけ屋根の形状について、図を用いて一実施例を説明する。
図４から図６は、本発明における雪よけ屋根を切り妻屋根とした場合の一実施例であり、図７から図９は、本発明における雪よけ屋根にドーム型形状屋根を用いた場合の一実施例である。それぞれは、アンテナの放射面から見て頂点を中心に左右に下方傾斜を有している。こうすることにより、屋根に積もった雪は重力による落下作用でアンテナの放射面側に影響を与えることなく、アンテナの放射面から見て頂点を中心に左右から地上に落とすことができ、アンテナの放射面側への雪垂れ等によって生じるアンテナの利得低下を更に低減することができる。
【００１２】
次に、アンテナの形状について、図を用いて一実施例を説明する。
図４及び図７は円形形状アンテナの場合、図５及び図８は四角形状アンテナの場合、図６及び図９はひし形形状アンテナの場合の一実施例である。これら実施例中の形状のアンテナ各々について、上記の雪よけ屋根の形状に対して、上記で述べた雪よけ屋根の効果を生かし、アンテナ着雪防止構造としての効果を得ることができる。
【００１３】
また、より一層の効果を得ようとする場合は、ひし形形状アンテナの場合は図６のように切り妻屋根を、円形形状アンテナや四角形状アンテナの場合は図７及び図８のようにドーム型形状屋根を組み合わせれば、アンテナと屋根の隙間が少なくなりことから相性が特に良くなり、アンテナの放射面側への着雪等によって生じるアンテナの利得低下を更に低減することができる。
【００１４】
上記の図６の場合について、図１０を用いて更に具体的に一実施例を説明する。
（ａ）は正面斜視図、（ｂ）は裏面斜視図である。取付ポール（１０）、雪よけ屋根（１１）、雪よけ屋根取付金具（１２）、アンテナ（１３）、アンテナ取付金具（１６）については、上記で述べてきたとおりであり、より具体的にはアンテナ取付金具（１６）についてである。アンテナ（１３）とアンテナ取付金具（１６）の融合部分は、アンテナ仰角調整部（１７）により固定される。本一実施例では、アンテナ仰角調整部（１７）が二本のボルトで固定される構造となっており、上段の一本は仰角方向への可動ができず、他の下段の一本が仰角方向への可動が可能なように金具に穴が設けられている。こうすることで、上段側で負荷を掛けてアンテナが稼働する程度に仮止めをし、仰角が決められた状態で下段のボルトを固定し、次いで上段のボルトを固定すれば、アンテナの仰角をより簡単に調整した上で固定することができる。
【図面の簡単な説明】
【００１５】
【図１】本発明におけるアンテナ着雪防止構造の一実施例
【図２】本発明の図１におけるアンテナ仰角が上方の場合の一実施例
【図３】本発明の図１におけるアンテナ仰角が下方の場合の一実施例
【図４】本発明における円形形状アンテナと切り妻屋根を用いた場合の一実施例
【図５】本発明における四角形状アンテナと切り妻屋根を用いた場合の一実施例
【図６】本発明におけるひし形形状アンテナと切り妻屋根を用いた場合の一実施例
【図７】本発明における円形形状アンテナとドーム型形状屋根を用いた場合の一実施例
【図８】本発明における四角形状アンテナとドーム型形状屋根を用いた場合の一実施例
【図９】本発明におけるひし形形状アンテナとドーム型形状屋根を用いた場合の一実施例
【図１０】本発明の図６における斜視図の一実施例
【図１１】従来技術におけるアンテナ着雪防止構造の一例
【図１２】従来技術の図１１におけるアンテナ仰角が上方の場合の一例
【図１３】従来技術の図１１におけるアンテナ仰角が下方の場合の一例
【符号の説明】
【００１６】
１０…取付ポール、１１…雪よけ屋根、１２…雪よけ屋根取付金具、１３…アンテナ、１４…アンテナ本体、１５…アンテナレドーム、１６…アンテナ取付金具、１７…アンテナ仰角調整部、２０…雪
【図１】
2006217130.tif 000003
【図２】
2006217130.tif 000004
【図３】
2006217130.tif 000005
【図４】
2006217130.tif 000006
【図５】
2006217130.tif 000007
【図６】
2006217130.tif 000008
【図７】
2006217130.tif 000009
【図８】
2006217130.tif 000010
【図９】
2006217130.tif 000011
【図１０】
2006217130.tif 000012
【図１１】
2006217130.tif 000013
【図１２】
2006217130.tif 000014
【図１３】
2006217130.tif 000015